(57)【要約】【課題】  本発明は、本発明はコードの巻きくずれ防止具であって、ドラムに容易に取り付けることを課題とする。また、ドラムの径の大小にかかわらず確実にコードを固定することを課題とする。【解決手段】  柔軟性のある材料で形成され少なくとも一部は長さ方向に引き伸ばし可能であり、固定具の先端側と基端側を着脱可能に結合するための手段を備え、少なくとも引き伸ばしたときにドラムに巻いたコードの上から全周に亘って巻き付けることができる長さを有し、固定具をコードの延長方向に延びるようにコードに係脱可能に結合する手段として、固定具の基端側にコードのプラグを着脱可能に係止する手段が備えられている。【選択図】  図１
2007039152.tif 000002
【特許請求の範囲】
【請求項１】
コードリールのドラムに巻いた電気コードの巻きくずれを防止するためのコード固定具であって、柔軟性のある材料で形成され少なくとも一部は長さ方向に引き伸ばし可能であり、固定具の先端側と基端側を着脱可能に結合するための手段を備え、少なくとも引き伸ばしたときにドラムに巻いたコードの上から全周に亘って巻き付けることができる長さを有し、固定具をコードの延長方向に延びるようにコードに係脱可能に結合する手段として、固定具の基端側にコードのプラグを着脱可能に係止する手段が備えられていることを特徴とするコード固定具。
【請求項２】
固定具の基端側にコードのプラグを着脱可能に係止するための手段は面ファスナーであって、第一の面ファスナーは固定具の基端側に取り付けられ、第二の面ファスナーは前記第一の面ファスナーに対してめくり上げ可能に固定具の基端側に取り付けられており、第一の面ファスナーと第二の面ファスナーがコードを挟んで係合することによりプラグが面ファスナーに係止する請求項１記載のコード固定具。
【請求項３】
固定具の先端側と基端側を着脱可能に結合するための手段は、固定具の先端側に取り付けられた第三の面ファスナーと、固定具の基端側に取り付けられた第四の面ファスナーであり、当該第四の面ファスナーと前記第一の面ファスナーとは同一の面ファスナーであり、この第一の面ファスナーと係合する前記第二の面ファスナーは帯状に形成され且つ第一の面ファスナーを横切るように係合する請求項２記載のコード固定具。
【請求項４】
固定具の先端側に取り付けられた前記第三の面ファスナーは雌型面ファスナーである請求項３記載のコード固定具。
【発明の詳細な説明】
【技術分野】
【０００１】
本発明は、電動工具等を使用するときに用いるコードリールのドラムに巻いた電気コードの巻きくずれを防止するためのコード固定具に関する。
【背景技術】
【０００２】
従来の巻きくずれ防止のための固定具としては、テグスを固定するための弾性を有する開口リング状の糸止めリングが存在する（例えば、特許文献１参照。）。
【特許文献１】実公昭４０−１１７４９号公報
【発明の開示】
【発明が解決しようとする課題】
【０００３】
本発明はコードの巻きくずれ防止具であって、ドラムに容易に取り付けることを課題とする。また、巻かれたコードを含めたドラムの径の大小にかかわらず確実にコードを固定することを課題とする。従来の巻きくずれ防止のための固定具は、特許文献１のように弾性を有する材料で形成された開口リング状に形成されたリングである。そして、使用時にはこのリングを開き、巻かれたテグスを圧接することによって巻きくずれを防止するものである。しかし、このような固定具はテグスを巻くような比較的小さな糸巻であるから問題はないのである。これを電気コードのコードリールに使用するときは種々の問題が生じる。第一に、コードリールに対応してリングが大きくなるので、リングを外したときに邪魔になる。第二に、リングをコードリールに対応させるためにはテグスの場合と比較にならないほど大きなリングが必要となる。リングを大きくすれば材料の厚みは大きくなり幅も広くなるから、リングをコードリールに取り付けるときにリングを拡げるが、その拡げるために大きな力が必要になり、力の弱い者には大きな負担が生じる。第三に、リングの径が、巻かれたコードを含めたドラムの径に対応していれば、リングをやや拡げた状態でコードを圧接できるが、ドラムの径が小さいときはリングでコードを圧接しないからコードを確実に固定することができない。また、ドラムの径がリングの径よりもかなり大きいときはリングを装着するときにリングを大きく拡げなければならず、非常に大きな力を必要として場合によっては使用することができない。そこで、本発明は、このような問題を解決することを目的とする。
【課題を解決するための手段】
【０００４】
本発明の請求項１は、コードリールのドラムに巻いた電気コードの巻きくずれを防止するためのコード固定具であって、柔軟性のある材料で形成され少なくとも一部は長さ方向に引き伸ばし可能であり、固定具の先端側と基端側を着脱可能に結合するための手段を備え、少なくとも引き伸ばしたときにドラムに巻いたコードの上から全周に亘って巻き付けることができる長さを有し、固定具をコードの延長方向に延びるようにコードに係脱可能に結合する手段として、固定具の基端側にコードのプラグを着脱可能に係止する手段が備えられている構成である。
【０００５】
請求項２は、固定具の基端側にコードのプラグを着脱可能に係止するための手段は面ファスナーであって、第一の面ファスナーは固定具の基端側に取り付けられ、第二の面ファスナーは前記第一の面ファスナーに対してめくり上げ可能に固定具の基端側に取り付けられており、第一の面ファスナーと第二の面ファスナーがコードを挟んで係合することによりプラグが面ファスナーに係止する要素が請求項１に付加された構成である。
【０００６】
請求項３は、固定具の先端側と基端側を着脱可能に結合するための手段は、固定具の先端側に取り付けられた第三の面ファスナーと、固定具の基端側に取り付けられた第四の面ファスナーであり、当該第四の面ファスナーと前記第一の面ファスナーとは同一の面ファスナーであり、この第一の面ファスナーと係合する前記第二の面ファスナーは帯状に形成され且つ第一の面ファスナーを横切るように係合する要素が請求項２に付加された構成である。
【０００７】
請求項４は、固定具の先端側に取り付けられた前記第三の面ファスナーが雌型面ファスナーである要素が請求項３に付加された構成である。
【発明の効果】
【０００８】
請求項１は、柔軟性のある材料で形成され少なくとも一部は長さ方向に引き伸ばし可能であり、固定具の先端側と基端側を着脱可能に結合するための手段を備え、少なくとも引き伸ばしたときにドラムに巻いたコードの上から全周に亘って巻き付けることができる長さを有し、固定具をコードの延長方向に延びるようにコードに係脱可能に結合する手段として、固定具の基端側にコードのプラグを着脱可能に係止する手段が備えられている構成である。柔軟な材料で形成されているから、不使用時に薄く畳むことができるので邪魔にならない。また、コードの圧接方法は従来のリングの弾性力によるものでなく、固定具の引き伸ばしによる圧接である。したがって、リングを拡げるときのような大きな力を必要とせずにコードを固定できる。ドラムに巻いたコードの径が大きくなっても小さくなっても、固定具の先端側と基端側の重なり係合位置を調節するだけで対応することができる。したがって、コードの径が大きくなったときは固定具の径も大きくなるように重なり係合位置を変えればよく、コードの径が小さくなったときは固定具の径も小さくなるように重なり係合位置を変えればコードを確実に固定できる。また、単にコードの上からシート状の固定具を巻きつけるだけのものではなく、固定具にプラグを係止してコードを引っ張った状態で固定具を巻きつけることができるので、リールの運搬中等にコードが緩むことがない。さらに、固定具をコードの延長方向に延びるようにコードに係脱可能に結合する手段として、固定具の基端側にコードのプラグを着脱可能に係止する手段が備えられている。固定具をコードの上から巻き付けるときに、まずプラグを固定具の基端側に係止する。その状態でリールを回転することによりコードを巻くのと同じように固定具を巻くことができるから、固定具の巻き付けを簡単な作業で行うことができる。また、通常のコードリールにはドラムの上方にハンドルが軸方向に延びている。固定具を取り付けるときにこのハンドルが邪魔になるのであるが、本発明はコードを巻くのと同じように固定具を巻くのでハンドルが邪魔にならない。
【０００９】
請求項２は、固定具の基端側にコードのプラグを着脱可能に係止するための手段が面ファスナーであって、第一の面ファスナーは固定具の基端側に取り付けられ、第二の面ファスナーは前記第一の面ファスナーに対してめくり上げ可能に固定具の基端側に取り付けられており、第一の面ファスナーと第二の面ファスナーがコードを挟んで係合することによりプラグが面ファスナーに係止する構成である。したがって、コードのみを面ファスナーに挟むことによってプラグは面ファスナーに係止されるので、プラグを簡単に係止することができる。
【００１０】
請求項３は、固定具の先端側と基端側を着脱可能に結合するための手段が、固定具の先端側に取り付けられた第三の面ファスナーと、固定具の基端側に取り付けられた第四の面ファスナーであり、当該第四の面ファスナーと前記第一の面ファスナーとは同一の面ファスナーであり、この第一の面ファスナーと係合する前記第二の面ファスナーは帯状に形成され且つ第一の面ファスナーを横切るように係合する。したがって、第一の面ファスナーと第二の面ファスナーでプラグを係止したときに第二の面ファスナーは第一の面ファスナーを横切って係合するので、係合していない第一の面ファスナーが露出したままになる。その露出した第一の面ファスナーに第三の面ファスナーを係合すれば固定具の先端側と基端側を簡単に結合できる。また、その結合位置も容易に変えることができる。さらに、第三の面ファスナーを帯状の第二の面ファスナーよりも幅広に形成すれば、第三の面ファスナーが第二の面ファスナーを覆うように第一の面ファスナーに係合するから、プラグをより確実に係止することができる。
【００１１】
請求項４は、固定具の先端側に取り付けられた第三の面ファスナーが雌型面ファスナーである。固定具をドラムに巻いたコードの上に巻くときに、第三の面ファスナーが床に接触しながら固定具と共に移動するので、雄型面ファスナーであると床に絨毯が敷かれているときに引っかかってしまうのである。そこで、雌型面ファスナーを取り付けることによって、スムースに移動させることができる。
【発明を実施するための最良の形態】
【００１２】
次に本発明を実施するための最良の形態について説明する。図３は固定具１の表面を示す図であって、固定具１は全体が細長い矩形に形成されている。固定具１の全長は約９０ｃｍであり、幅は約１２ｃｍである。固定具１はビニールレザーで形成され、このビニールレザーは固定具１の先端６に寄りの位置で分断されて３本のゴムテープ２でつながれている。このゴムテープ２によって固定具１は長さ方向に伸ばすことができる。材料であるビニールレザーはこれに限定されるものでなく軟質性を有するシート等であればよい。したがって、布でもよい。ゴムテープ２はこれに限定されるものでなく伸びる性質を有するテープ又はシート等であればよい。固定具１が全体的に伸びる構成であってもよい。
【００１３】
固定具１の基端３側に矩形の雄型の基端面ファスナー４，４が２つ取り付けられている。２つの基端面ファスナー４，４は間隔８をあけて取り付けられている。間隔８をあけた理由は、この間隔８にコードを沿わせることによってコードとビニールレザーを接触させて摩擦力を大きくするためである。基端面ファスナー４，４は固定具１のビニールレザーに縫い付けることによって取り付けられている。基端面ファスナー４，４の長さは約２０．５ｃｍであり、幅は約５ｃｍである。
【００１４】
基端面ファスナー４，４を横切るように２つの雌型の面ファスナーテープ５，５が取り付けられている。この面ファスナーテープ５，５は一端を固定具１に縫い付けることによってめくり上げ可能に取り付けられている。面ファスナーテープ５，５はその他端が固定具１よりもはみ出す長さを有している。はみ出し部を指でつまむことにより基端面ファスナー４，４から容易にめくり上げることができる。
【００１５】
図５に示すように固定具１の裏面の先端６側に矩形の雌型の先端面ファスナー７，７が２つ取り付けられている。２つの先端面ファスナー７，７は間隔９をあけて取り付けられている。間隔９をあけた理由は、この間隔９にコードを沿わせることによってコードとビニールレザーを接触させて摩擦力を大きくするためである。先端面ファスナー７，７は固定具１のビニールレザーに縫い付けることによって取り付けられている。先端面ファスナー７，７の長さは約７ｃｍであり、幅は約５ｃｍである。
【００１６】
次に本発明の使用方法について説明する。なお、ゴムテープ２を伸ばさない状態で、固定具１の長さはコードリール１１のフランジ１４の全周よりも長く形成されている。また、コードリール１１のドラム１２はスタンド１５に回転可能に取り付けられている。まず、コード１０を少しばかりコードリール１１のドラム１２から引き出す。そして、引き出したコード１０を手に持ちながら他方の手で固定具１を持ち、面ファスナーテープ５，５をめくり上げてから固定具１の基端３側の表面にコード１０を宛がい、両先端面ファスナー７，７の間隔８にコード１０を沿わせる。コード１０は、２つの面ファスナーテープ５，５でコード１０を固定するように、プラグ１３が２つの面ファスナーテープ５，５を超える位置まで両先端面ファスナー７，７の間隔８に沿わせる。次いで、コード１０を挟むように面ファスナーテープ５，５を基端面ファスナー４，４に係合する。これにより、固定具１とコード１０は結合され、プラグ１３がそれに近接する面ファスナーテープ５に係止するので、固定具１をコード１０の延長方向に引っ張っても固定具１とコード１０は外れない。
【００１７】
このように固定具１とコード１０を結合した後に、図１に示すように固定具１をドラム１２に巻き取る方向にドラム１２を回転する。これにより、固定具１はコード１０と同様にドラム１２に巻かれる。従来のリング状固定具ではコードリール１１の側方からスタンド１５のハンドル１６とフランジ１４の間に固定具を挿し入れる必要があり、リング状固定具がハンドル１６等に当たって円滑に挿し入れることができない。本発明は、固定具１はコード１０と同じようにドラム１２に巻くので、ハンドル１６等が邪魔にならず円滑に巻くことができる。図２に示すように固定具１をドラム１２に完全に巻き付けてから、ゴムテープ２を伸ばしながら基端面ファスナー４，４と先端面ファスナー７，７を係合する。これにより、コード１０の巻きくずれを確実に防止することができる。また、コード１０の巻き量によってドラム１２の径が変化しても、基端面ファスナー４，４と先端面ファスナー７，７の係合位置を変えることによって対応できる。コードリール１１を使用するときは、固定具１をドラムに巻き付ける作業と逆の作業を行えばよい。
【図面の簡単な説明】
【００１８】
【図１】固定具をドラムに巻く状態を示す斜視図
【図２】本発明の使用状態を示す斜視図
【図３】本発明の表面図
【図４】本発明の先端側と基端側を示す表面図
【図５】本発明の先端側と基端側を示す裏面図
【符号の説明】
【００１９】
１  固定具
２  ゴムテープ
３  基端
４  基端面ファスナー
５  面ファスナーテープ
６  先端
７  先端面ファスナー
８  間隔
９  間隔
１０  コード
１１  コードリール
１２  ドラム
１３  プラグ
１４  フランジ
１５  スタンド
１６  ハンドル
【図１】
2007039152.tif 000003
【図２】
2007039152.tif 000004
【図３】
2007039152.tif 000005
【図４】
2007039152.tif 000006
【図５】
2007039152.tif 000007